(57)【要約】【課題】コーストストップ条件の成立後、車両に過度な減速度を生じさせることなく、自動変速機のＬｏｗ戻しを実現可能とする。【解決手段】エンジン１の出力により駆動されて自動変速機ＴＭの作動油圧を生じさせるオイルポンプ８を備える車両において、車両の減速走行中に所定のコーストストップ条件が成立した場合に、エンジン１を停止させるコーストストップを実行する。コーストストップ条件が成立したか否かを判定し、コーストストップ条件が成立したと判定した場合に、トルクコンバータ２に備わるロックアップクラッチ２３の締結力の形成を維持しつつ、ロックアップクラッチ２３の入力要素と出力要素との間に差回転を生じさせるクラッチ滑り制御を実行する。そして、クラッチ滑り制御の実行中に、自動変速機ＴＭの変速比を、コーストストップ条件の成立判定時よりも増大させ、変速比の増大後、ロックアップクラッチ２３を解放させる。【選択図】図２
2018119608.tif 000002
【特許請求の範囲】
【請求項１】
エンジンと、
自動変速機と、
前記エンジンおよび前記自動変速機の間に介装されたトルクコンバータと、
前記エンジンの出力により駆動されて前記自動変速機の作動油圧を生じさせるオイルポンプと、
を備える車両に設けられ、
前記車両の減速走行中に所定のコーストストップ条件が成立した場合に、前記エンジンを停止させるコーストストップを実行する、車両のコーストストップ制御装置であって、
前記コーストストップ条件が成立したか否かを判定するコーストストップ条件判定部と、
前記コーストストップ条件が成立したと判定した場合に、前記トルクコンバータに備わるロックアップクラッチの締結力の形成を維持しつつ、前記ロックアップクラッチの入力要素と出力要素との間に差回転を生じさせるクラッチ締結制御部と、
前記自動変速機の変速比を、前記コーストストップ条件の成立判定時よりも増大させる変速制御部と、
前記変速比の増大後、前記ロックアップクラッチを解放させるクラッチ解放制御部と、
を含んで構成される、車両のコーストストップ制御装置。
【請求項２】
前記変速制御部は、前記自動変速機の変速比を最Ｌｏｗ変速比にまで増大させ、
前記クラッチ解放制御部は、前記変速比が前記最Ｌｏｗ変速比に到達した後、前記ロックアップクラッチを解放させる、請求項１に記載の車両のコーストストップ制御装置。
【請求項３】
前記自動変速機の変速比を検出する変速比検出部をさらに備え、
前記変速制御部は、前記コーストストップ条件の成立判定時における前記自動変速機の変速比が所定の値よりも低いか否かを判定し、前記所定の値よりも低い場合に、前記変速比を増大させる、請求項１または請求項２に記載の車両のコーストストップ制御装置。
【請求項４】
前記車両の減速度を検出する減速度検出部をさらに備え、
前記変速制御部は、前記コーストストップ条件の成立判定時における前記車両の減速度が所定の値よりも低いか否かを判定し、前記所定の値よりも低い場合に、前記自動変速機の変速比を増大させる、請求項１から請求項３のいずれか一項に記載の車両のコーストストップ制御装置。
【請求項５】
前記クラッチ締結制御部は、前記差回転の目標値を設定し、実際の差回転が前記目標値に近付くように、前記ロックアップクラッチの締結力を制御する、請求項１から請求項４のいずれか一項に記載の車両のコーストストップ制御装置。
【請求項６】
エンジンと、
自動変速機と、
前記エンジンおよび前記自動変速機の間に介装されたトルクコンバータと、
前記エンジンの出力により駆動されて前記自動変速機の作動油圧を生じさせるオイルポンプと、
を備える車両において、
前記車両の減速走行中に所定のコーストストップ条件が成立した場合に、前記エンジンを停止させるコーストストップを実行する、車両のコーストストップ制御方法であって、
前記コーストストップ条件が成立したか否かを判定し、
前記コーストストップ条件が成立したと判定した場合に、前記トルクコンバータに備わるロックアップクラッチの締結力の形成を維持しつつ、前記ロックアップクラッチの入力要素と出力要素との間に差回転を生じさせるクラッチ滑り制御を実行し、
前記クラッチ滑り制御の実行中に、前記自動変速機の変速比を、前記コーストストップ条件の成立判定時よりも増大させ、
前記変速比の増大後、前記ロックアップクラッチを解放させる、車両のコーストストップ制御方法。
【発明の詳細な説明】
【技術分野】
【０００１】
本発明は、エンジンの出力により駆動されるオイルポンプを備える車両に設けられる、車両のコーストストップ制御装置およびコーストストップ制御方法に関する。
【背景技術】
【０００２】
特許文献１には、エンジンの出力により駆動されるオイルポンプを備え、このオイルポンプにより、変速動作に必要な油圧が形成される車両ないし自動変速機が開示されている。
【先行技術文献】
【特許文献】
【０００３】
【特許文献１】特開２０１１−００１９１３号公報（段落００４９）
【発明の概要】
【発明が解決しようとする課題】
【０００４】
燃費向上のため、減速走行中にフューエルカットによりエンジンに対する燃料の供給を停止した後、コーストストップに移行し、エンジンを停止させることが既に知られている。コーストストップのため、例えば、フューエルカット後、トルクコンバータに備わるロックアップクラッチを解放させ、エンジンと駆動輪との間での動力の伝達を遮断する。
【０００５】
ここで、停車後の再発進に必要な駆動力を確保するため、コーストストップに際して次のような制御を行うことが考えられる。ロックアップクラッチの解放後、一旦フューエルカットリカバーにより燃料の供給を再開し、エンジンの出力によりオイルポンプを駆動する。そして、バリエータの変速比を設定上の最大変速比にまで増大させた後、燃料の供給を再度停止し、コーストストップを実行するのである。
【０００６】
しかし、このような制御には、燃料の供給を再開させることから、燃費が悪化するという問題がある。さらに、減速走行中であるにも拘らずエンジンが始動することとなるので、運転者に違和感を与えるという懸念もある。
【０００７】
ロックアップクラッチの解放後、仮に燃料の供給を再開させずにコーストストップを実行したとすれば、自動変速機の作動油圧が得られず、変速比を最大変速比に到達させることができなくなる。これにより、再発進時の駆動力に不足が生じ、充分な発進性を確保することができない。
【０００８】
他方で、コーストストップに移行せず、ロックアップクラッチを締結させた状態を維持することで、オイルポンプを駆動し、変速比を最大変速比に到達させることが可能である。しかし、この場合は、変速比の増大に応じて車両に過度な減速度が生じ、引込感の発生により運転性に影響するおそれがある。
【０００９】
本発明は、以上の問題を考慮した車両のコーストストップ制御装置およびコーストストップ制御方法を提供することを目的とする。
【課題を解決するための手段】
【００１０】
本発明は、一形態において、エンジンと、自動変速機と、エンジンおよび自動変速機の間に介装されたトルクコンバータと、エンジンの出力により駆動されて自動変速機の作動油圧を生じさせるオイルポンプと、を備える車両に設けられ、車両の減速走行中に所定のコーストストップ条件が成立した場合に、エンジンを停止させるコーストストップを実行する、車両のコーストストップ制御装置を提供する。本形態に係るコーストストップ制御装置は、コーストストップ条件が成立したか否かを判定するコーストストップ条件判定部と、コーストストップ条件が成立したと判定した場合に、トルクコンバータに備わるロックアップクラッチの締結力の形成を維持しつつ、ロックアップクラッチの入力要素と出力要素との間に差回転を生じさせるクラッチ締結制御部と、自動変速機の変速比を、コーストストップ条件の成立判定時よりも増大させる変速制御部と、変速比の増大後、ロックアップクラッチを解放させるクラッチ解放制御部と、を含んで構成される。
【００１１】
さらに、他の形態では、エンジンと、自動変速機と、エンジンおよび自動変速機の間に介装されたトルクコンバータと、エンジンの出力により駆動されて自動変速機の作動油圧を生じさせるオイルポンプと、を備える車両において、車両の減速走行中に所定のコーストストップ条件が成立した場合に、エンジンを停止させるコーストストップを実行する、車両のコーストストップ制御方法を提供する。本形態に係るコーストストップ制御方法は、コーストストップ条件が成立したか否かを判定し、コーストストップ条件が成立したと判定した場合に、トルクコンバータに備わるロックアップクラッチの締結力の形成を維持しつつ、ロックアップクラッチの入力要素と出力要素との間に差回転を生じさせるクラッチ滑り制御を実行し、クラッチ滑り制御の実行中に、自動変速機の変速比を、コーストストップ条件の成立判定時よりも増大させ、変速比の増大後、ロックアップクラッチを解放させる。
【発明の効果】
【００１２】
上記形態によれば、コーストストップ条件の成立後、ロックアップクラッチの締結力の形成を維持することで、オイルポンプを作動させ、自動変速機の作動油圧を形成可能として、変速比を増大させ、再加速または再発進時における車両の駆動力を確保することができる。さらに、ロックアップクラッチの入力要素と出力要素との間に差回転を生じさせることで、変速比の増大に応じた減速感を軽減することができる。
【図面の簡単な説明】
【００１３】
【図１】図１は、本発明の一実施形態に係る車両駆動系の全体的な構成を示す概略図である。
【図２】図２は、同上実施形態に係るコーストストップ制御の流れを示すフローチャートである。
【図３】図３は、同上コーストストップ制御のＬｏｗ戻し実行領域を示す説明図である。
【図４】図４は、同上コーストストップ制御によらない場合の車両駆動系の動作を示す説明図である。
【図５】図５は、同上コーストストップ制御による場合の車両駆動系の動作を示す説明図である。
【発明を実施するための形態】
【００１４】
以下、図面を参照して、本発明の実施形態について説明する。
【００１５】
（車両駆動系の構成）
図１は、本発明の一実施形態に係る車両駆動系Ｐの全体構成を概略的に示している。
【００１６】
本実施形態に係る車両駆動系Ｐは、内燃エンジン（以下、単に「エンジン」という）１を駆動源として備え、エンジン１と左右の駆動輪７とをつなぐ動力伝達経路上にトルクコンバータ２および自動変速機ＴＭを備えている。本実施形態において、自動変速機ＴＭは、前後進切替機構３およびバリエータ４からなる。自動変速機ＴＭは、エンジン１からトルクコンバータ２を介して入力した回転動力を所定の変速比で変換し、ディファレンシャルギア５を介して駆動輪７に出力する。
【００１７】
トルクコンバータ２は、トルクコンバータ２の入力軸に接続されたポンプインペラ２１と、トルクコンバータ２の出力軸に接続されたタービンランナ２２と、を備え、入力した回転動力を、流体の力学的作用を介して出力軸に伝達する。トルクコンバータ２は、さらに、出力軸に接続されたロックアップクラッチ２３を備え、ロックアップクラッチ２３を締結状態とすることで、入力軸と出力軸とを直結させ、流体接続による伝達損失を削減することが可能である。ロックアップクラッチ２３の締結および解放は、ロックアップクラッチ２３に作用する油圧（以下「ロックアップ油圧」という場合がある）を制御することで切り替えられる。
【００１８】
前後進切替機構３は、トルクコンバータ２とバリエータ４との間に配置され、出力軸の回転方向を切り替えることで、車両の進行方向を前進か後退かで切り替える。前後進切替機構３は、前進レンジ選択時に締結される前進クラッチ３１と、後退レンジ選択時に締結される後退ブレーキ３２と、を備え、前進クラッチ３１が締結された状態で車両を前進させ、後退ブレーキ３２が締結された状態で車両を後退させる。前進レンジが選択されているか後退レンジが選択されているかは、運転者により操作されるシフトレバーの位置に基づき判断される。前進クラッチ３１および後退ブレーキ３２がいずれも解放された状態では、自動変速機ＴＭがニュートラル状態となり、自動変速機ＴＭを通じた回転動力の伝達が遮断される。前後進切替機構３の動作は、前進クラッチ３１および後退ブレーキ３２に作用する油圧を調整することで制御される。
【００１９】
バリエータ４は、変速要素としてプライマリプーリ４１およびセカンダリプーリ４２を備えるとともに、これらのプーリ４１、４２の間に巻き掛けられた金属ベルト４３を備え、プライマリプーリ４１およびセカンダリプーリ４２における金属ベルト４３の接触部半径の比を変化させることで、変速比Ｒｖａを無段階に変更することが可能である。バリエータ４の変速比Ｒｖａは、プライマリプーリ４１およびセカンダリプーリ４２の可動シーブに作用する油圧（以下「作動油圧」または「変速油圧」という場合がある）を調整し、可動シーブと固定シーブとの間に形成されるＶ溝の幅を変化させることで制御される。本実施形態では、プライマリプーリ４１の回転数Ｎｐｒｉをセカンダリプーリ４２の回転数Ｎｓｅｃで除した値を、バリエータ４の変速比Ｒｖａとする（Ｒｖａ＝Ｎｐｒｉ／Ｎｓｅｃ）。
【００２０】
自動変速機ＴＭから出力された回転動力は、所定のギア比に設定されたギア列およびディファレンシャル５を介して駆動軸６に伝達され、駆動輪７を回転させる。
【００２１】
本実施形態では、トルクコンバータ２のロックアップクラッチ２３、前後進切替機構３の摩擦締結要素３１、３２およびバリエータ４の変速要素４１、４２に作用させる油圧の発生源として機械駆動式のオイルポンプ８を備える。オイルポンプ８は、エンジン１の出力により駆動され、作動油を所定の圧力にまで昇圧させ、油圧制御回路９を介してこれらの各部に供給する。図１は、油圧制御回路９から各部への油圧供給経路を、矢印付きの点線により示している。本実施形態では、トルクコンバータ２のポンプインペラ２１とオイルポンプ８の回転軸とが動力伝達媒体を介して接続されており、オイルポンプ８に対し、動力伝達媒体を介してエンジン１の回転動力が伝達される。
【００２２】
（制御システムの構成および基本動作）
エンジン１および自動変速機ＴＭの動作は、エンジンコントローラ１０１、変速機コントローラ２０１により夫々制御される。これらのコントローラ１０１、２０１は、いずれも電子制御ユニットとして構成され、中央演算装置（ＣＰＵ）、ＲＡＭおよびＲＯＭ等の各種記憶装置、入出力インターフェース等を備えたマイクロコンピュータからなる。
【００２３】
エンジンコントローラ１０１は、エンジン１の運転状態を検出する運転状態センサの検出信号を入力し、運転状態をもとに所定の演算を実行し、エンジン１の燃料噴射量、燃料噴射時期および点火時期等を設定する。本実施形態において、エンジンコントローラ１０１は、上記通常のエンジン制御ルーチンに加え、所定のフューエルカット条件が成立したか否かを判定し、フューエルカット条件が成立した場合に、エンジン１に対する燃料の供給を一時的に停止させるフューエルカットを実行する。フューエルカットの開始後、エンジンコントローラ１０１は、所定のフューエルカット解除条件が成立したか否かを判定し、フューエルカット解除条件が成立した場合に、フューエルカットを解除し、エンジン１に対する燃料の供給を再開させる。
【００２４】
本実施形態では、運転状態センサとして、運転者によるアクセルペダルの操作量（以下「アクセル開度」という）ＡＰＯを検出するアクセルセンサ１１１、エンジン１の回転速度を検出する回転速度センサ１１２、エンジン冷却水の温度ＴＷを検出する冷却水温度センサ１１３等が設けられるほか、図示しないエアフローメータ、スロットルセンサ、燃料圧力センサおよび空燃比センサ等が設けられている。本実施形態において、回転速度センサ１１２は、クランク角センサにより構成され、エンジンコントローラ１０１は、エンジン１の回転速度として、クランク角センサにより出力される基準クランク角または単位クランク角毎の信号に基づき単位時間当たりの回転数（以下「エンジン回転数」という）ＮＥを算出する。
【００２５】
変速機コントローラ２０１は、本実施形態に係る「車両のコーストストップ制御装置」を構成するものであり、「コーストストップ条件判定部」、「クラッチ締結制御部」、「変速制御部」、「クラッチ解放制御部」、「変速比検出部」および「減速度検出部」の機能を奏する。本実施形態では、変速機コントローラ２０１のみにより「車両のコーストストップ制御装置」を構成し、「車両のコーストストップ制御方法」を実施するが、これに限らず、エンジンコントローラ１０１および変速機コントローラ２０１で協働して「車両のコーストストップ制御装置」を構成することも可能である。さらに、エンジンコントローラ１０１のみによっても具現可能であることは、勿論である。
【００２６】
本実施形態では、自動変速機ＴＭの制御に関連して、車両の走行速度（以下「車速」という）ＶＳＰを検出する車速センサ２１１、運転者によるブレーキペダルの踏込量を示すブレーキ踏力ＢＰＦを検出するブレーキセンサ２１２、プライマリプーリ４１の回転速度（単位時間当たりの回転数であり、以下「プライマリプーリ回転数」という）Ｎｐｒｉを検出する入力側回転速度センサ２１３、セカンダリプーリ４２の回転速度（単位時間当たりの回転数であり、以下「セカンダリプーリ回転数」という）Ｎｓｅｃを検出する出力側回転速度センサ２１４、プライマリプーリ４１に作用する変速油圧（以下「プライマリ油圧」という）Ｐｐｒｉを検出するプライマリ油圧センサ２１５、セカンダリプーリ４２に作用する変速油圧（以下「セカンダリ油圧」という）Ｐｓｅｃを検出するセカンダリ油圧センサ２１６、自動変速機ＴＭの作動油の温度（以下、単に「油温」という）Ｔｏｉｌを検出する油温センサ２１７、シフトレバーの位置（以下「シフト位置」という）ＳＦＴを検出するシフト位置センサ２１８等が設けられている。本実施形態において、車速センサ２１１は、駆動輪７の回転速度を測定可能に設けられており、変速機コントローラ２０１は、車速センサ２１１の検出信号に基づき車速ＶＳＰを算出する。
【００２７】
変速機コントローラ２０１は、エンジンコントローラ１０１に対し、ＣＡＮ規格のバスを介して互いに通信可能に接続されており、エンジンコントローラ１０１からエンジン１の運転状態としてアクセル開度ＡＰＯ等を入力するほか、フューエルカットの実行中であることを示すフューエルカット信号およびフューエルカットが解除されたことを示すフューエルカット解除信号を入力する。
【００２８】
変速機コントローラ２０１は、アクセル開度ＡＰＯおよび車速ＶＳＰ等を示す各種信号に基づき自動変速機ＴＭ（本実施形態では、バリエータ４）の目標変速比ｔＲｖａを設定し、バリエータ４の実際の変速比Ｒｖａを目標変速比ｔＲｖａに近付けるように、プライマリ油圧Ｐｐｒｉおよびセカンダリ油圧Ｐｓｅｃを制御する。具体的には、オイルポンプ８が発生させる油圧を元圧として、プライマリプーリ４１およびセカンダリプーリ４２に夫々所定の変速油圧が作用するように、油圧制御回路９に制御信号を出力する。
【００２９】
本実施形態において、変速機コントローラ２０１は、車両の減速走行中に所定のコーストストップ条件が成立したか否かを判定し、コーストストップ条件が成立した場合に、コーストストップを実行する。「コーストストップ」とは、減速走行中にエンジン１を停止させることをいい、エンジン１を停止させる点で、単にエンジン１に対する燃料の供給を停止させるフューエルカットとは区別される。そして、車両の走行中に実施される点で、停車中に実施されるアイドルストップとも区別される。本実施形態では、コーストストップのため、エンジン１に対する燃料の供給を停止させるとともに、エンジン１と駆動輪７との間での動力の伝達を遮断することで、エンジン１を停止させる。コーストストップの実行後、変速機コントローラ２０１は、所定のコーストストップ解除条件が成立したか否かを判定し、コーストストップ解除条件が成立した場合に、エンジン１に対する燃料の供給を再開させ、エンジン１を始動させる。コーストストップ解除条件は、例えば、コーストストップの実行中にブレーキペダルが戻されたことをもって成立する。以下、変速機コントローラ２０１により実行されるコーストストップ制御について説明する。
【００３０】
（コーストストップ制御の内容）
図２は、本実施形態に係るコーストストップ制御の全体的な流れを示している。
【００３１】
変速機コントローラ２０１は、所定のフューエルカット条件が成立した場合に、図２に示す制御ルーチンに従い、コーストストップ制御を実行する。
【００３２】
Ｓ１０１では、フューエルカット条件が成立したか否かを判定する。本実施形態において、フューエルカット条件は、アクセルペダルが完全に戻された位置にあり、エンジン回転数ＮＥが所定の値ＮＥａ以上である場合に成立する。所定の値ＮＥａは、燃費向上の観点から定められる値であり、エンジンコントローラ１０１に予め記憶されている。変速機コントローラ２０１は、エンジンコントローラ１０１からフューエルカット信号を入力した場合に、フューエルカット条件が成立したと判定する。フューエルカット条件が成立した場合は、Ｓ１０２へ進み、成立していない場合は、今回の制御を終了する。フューエルカット条件が成立した場合は、エンジンコントローラ１０１によりエンジン１に対する燃料の供給が停止される。
【００３３】
Ｓ１０２では、フューエルカット解除条件が成立したか否かを判定する。本実施形態において、フューエルカット解除条件は、運転者によりアクセルペダルが踏み込まれた場合に成立する。変速機コントローラ２０１は、エンジンコントローラ１０１からフューエルカット解除信号を入力した場合に、フューエルカット解除条件が成立したと判定する。フューエルカット解除条件が成立した場合は、今回の制御を終了し、成立していない場合は、Ｓ１０３へ進む。フューエルカット解除条件が成立した場合は、エンジンコントローラ１０１によりエンジン１に対する燃料の供給が再開される。
【００３４】
Ｓ１０３では、コーストストップ条件が成立したか否かを判定する。具体的には、フューエルカット条件が成立し、フューエルカットが実行中であることを前提として、運転者によりブレーキペダルが踏み込まれた場合に成立する。本実施形態では、これに加え、車速ＶＳＰが所定の値ＶＳＰａよりも低いことを条件とし、車速ＶＳＰが所定の値ＶＳＰａよりも低い場合にのみ成立するものとする。所定の値ＶＳＰａは、運転性の観点から定められる値であり、変速機コントローラ２０１に予め記憶されている。車速ＶＳＰが所定の値ＶＳＰａよりも高い状態で処理を進め、次に述べるＬｏｗ戻しにより変速比Ｒｖａを増大させたとすると、変速に伴って過剰な減速度が生じ、運転性に影響することが懸念される。車速ＶＳＰがある程度低下した時点でＬｏｗ戻しを実行することで、減速度を抑制し、運転性に与える影響を緩和することが可能である。「Ｌｏｗ戻し」とは、減速後の再加速または再発進に備え、減速走行中に予め変速比を増大させておく自動変速機ＴＭの動作をいい、本実施形態では、Ｌｏｗ戻しにより、バリエータ４の変速比Ｒｖａを最Ｌｏｗ変速比にまで増大させる。本実施形態において、「最Ｌｏｗ変速比」とは、バリエータ４がとり得る最大変速比をいう。コーストストップ条件が成立した場合は、Ｓ１０４へ進み、成立していない場合は、Ｓ１０２へ戻り、Ｓ１０２およびＳ１０３の処理を繰り返す。
【００３５】
Ｓ１０４では、Ｌｏｗ戻し実行条件が成立しているか否かを判定する。本実施形態において、Ｌｏｗ戻し実行条件が成立しているか否かの判定は、車両の減速度Ｇおよびバリエータ４の変速比Ｒｖａに基づき行い、減速度Ｇが所定の値Ｇａよりも低く、変速比Ｒｖａが所定の値Ｒａよりも低い場合に成立する。変速機コントローラ２０１は、車速ＶＳＰをもとに車両の減速度Ｇを算出し、プライマリプーリ回転数Ｎｐｒｉおよびセカンダリプーリ回転数Ｎｓｅｃをもとにバリエータ４の変速比Ｒｖａを算出する。これらの演算により、「減速度検出部」および「変速比検出部」の機能が実現される。
【００３６】
ここで、所定の値ＧａおよびＲａは、Ｌｏｗ戻しによる変速の感度の観点から定められる値であり、変速機コントローラ２０１に予め記憶されている。図３は、横軸に減速度Ｇを、縦軸に変速比Ｒｖａを夫々示し、同図上、減速度Ｇおよび変速比Ｒｖａにより定められる領域が、Ａ〜Ｄの４つに区画されている。低減速度および低変速比側の領域Ｄが、Ｌｏｗ戻しを実行する領域である。
【００３７】
図３において、減速度Ｇが所定の値Ｇａ以上である領域ＢおよびＣでは、車両が急激に減速している状態にあり、Ｌｏｗ戻しによる充分な効果が得られるほどの時間が確保されないとして、Ｌｏｗ戻しの実行を留保する。他方で、変速比Ｒｖａが所定の値Ｒａ以上である領域ＡおよびＢでは、変速比Ｒｖａが既に高く、Ｌｏｗ側の領域にあることから、Ｌｏｗ戻しの必要性が低いとして、その実行を留保する。Ｌｏｗ戻し実行条件が成立している場合は、Ｓ１０５へ進み、それ以外の場合は、Ｓ１０８へ進む。
【００３８】
Ｓ１０５では、ロックアップクラッチ２３の滑り制御（以下「クラッチ滑り制御」という）を実行する。本実施形態において、「クラッチ滑り制御」とは、ロックアップクラッチ２３の締結力の形成を維持して、ロックアップクラッチ２３を介する動力の伝達を可能としながら、ロックアップクラッチ２３の入力要素であるクラッチピストンと出力要素であるカバーシェルとの間に差回転を生じさせる制御をいう。具体的には、車両の目標減速度を達成し得る程度の、換言すれば、ロックアップクラッチ２３の締結状態を維持することによりＬｏｗ戻しに伴って生じる減速度が過剰とならない程度の差回転を目標値として予め設定しておき、この目標値が得られるように、ロックアップクラッチ２３に作用する油圧を低下させる。ここで、ロックアップ油圧を低下させる制御がロックアップクラッチ２３の締結力の制御に相当する。クラッチピストンとカバーシェルとの間の実際の差回転を検出し、目標値に対する実際の差回転の乖離に応じてロックアップ油圧を増減させることも可能である。
【００３９】
Ｓ１０６では、Ｌｏｗ戻しを実行し、バリエータ４の変速比Ｒｖａをコーストストップ条件の成立判定時よりも増大させる。本実施形態では、Ｌｏｗ戻しの目標変速比を、バリエータ４の最大変速比である最Ｌｏｗ変速比に設定し、Ｌｏｗ戻しにより、バリエータ４の変速比Ｒｖａをこの最Ｌｏｗ変速比にまで復帰させる。
【００４０】
Ｓ１０７では、Ｌｏｗ戻しが完了し、バリエータ４の変速比Ｒｖａが最Ｌｏｗ変速比にまで増大したか否かを判定する。最Ｌｏｗ変速比にまで増大した場合は、Ｓ１０８へ進み、増大していない場合は、Ｓ１０５へ戻し、クラッチ滑り制御を継続するとともに、引き続きＬｏｗ戻しを実行する。
【００４１】
Ｓ１０８では、ロックアップクラッチ２３を解放させ、エンジン１と駆動輪７との間での動力の伝達を遮断することにより、エンジン１を停止させる。
【００４２】
このように、本実施形態では、バリエータ４の変速比Ｒｖａが最Ｌｏｗ変速比にまで増大した場合に、Ｌｏｗ戻しが完了したとして、クラッチ滑り制御を終了し、ロックアップクラッチ２３を解放させることとした（Ｓ１０７、Ｓ１０８）。しかし、これに限らず、バリエータ４の変速比Ｒｖａが最Ｌｏｗ変速比に到達していないとしても、再加速または再発進時の駆動力を確保し得る程度にまで増大した場合に、Ｌｏｗ戻しが実質的に完了したと判定し、同様にロックアップクラッチ２３を解放させるようにしてもよい。
【００４３】
本実施形態では、図２に示すフローチャートのＳ１０３に示す処理により「コーストストップ条件判定部」の機能が実現され、Ｓ１０５に示す処理により「クラッチ締結制御部」の機能が実現され、Ｓ１０４、Ｓ１０６およびＳ１０７に示す処理により「変速制御部」の機能が実現され、Ｓ１０８に示す処理により「クラッチ解放制御部」の機能が実現される。
【００４４】
図４および５は、減速開始（時刻ｔ１）から停車（時刻ｔ５）に至るまでの車両駆動系の動作を概略的に示している。図５は、本実施形態に係るコーストストップ制御による場合の動作を、図４は、比較例として、本実施形態に係るコーストストップ制御によらない場合の動作を、夫々示している。
【００４５】
アクセルペダルが戻され（時刻ｔ１）、減速走行に移行すると、フューエルカットが実行され、車速ＶＳＰ１が徐々に低下する。変速機コントローラ２０１は、車速ＶＳＰ１の低下に応じてバリエータ４の目標変速比ｔＲｖａを増大させていき、最終的には、最Ｌｏｗ変速比にまで増大させる。そして、実際の変速比Ｒｖａ１を目標変速比ｔＲｖａに追従するように変化させる（時刻ｔ２〜ｔ４）。
【００４６】
比較例では、図４に示すように、減速走行中にブレーキペダルが踏み込まれると（時刻ｔ２）、コーストストップのため、ロックアップクラッチ２３に作用する油圧Ｐｌｕ１を減少させ（時刻ｔ３）、ロックアップクラッチ２３を解放させる。これにより、エンジン１と駆動輪７との間での動力の伝達が遮断され、エンジン回転数ＮＥ１が急激に減少する。図４は、ロックアップ油圧Ｐｌｕ１が低下を開始してからエンジン回転数ＮＥ１が実際に落ち始めるまでの遅れを、時間Ｄ１により示している。
【００４７】
ここで、停車後の再発進に必要な駆動力を確保するため、ロックアップクラッチ２３の解放後、一旦フューエルカットリカバーにより燃料の供給を再開し、エンジン１の出力によりオイルポンプ８を駆動する。図４は、フューエルカットリカバーを行う場合のエンジン１の回転速度をエンジン回転数ＮＥ１により示している。そして、バリエータ４の変速比Ｒｖａ１が最終的な目標変速比ｔＲｖａ（最Ｌｏｗ変速比）に到達すると（時刻ｔ４）、トルクコンバータ２のタービン回転数ＮＴ１が車速ＶＳＰ１とともに低下する一方で、燃料の供給を再度停止することにより、エンジン１を停止させる。時間Ｄ２は、燃料の供給を停止してからエンジン回転数ＮＥ１が再度落ち始めるまでの遅れを示している。
【００４８】
しかし、このような制御には、燃料の供給を再開させることから、燃費が悪化するという問題がある。さらに、減速走行中であるにも拘らずエンジン１が始動することとなるので、運転者に違和感を与えるという懸念がある。
【００４９】
ロックアップクラッチ２３の解放後、燃料の供給を再開させずにコーストストップを実行したとすれば、オイルポンプ８を作動させることができないことから、変速に必要な油圧Ｐｐｒｉ、Ｐｓｅｃが得られず、変速比Ｒｖａ２を最Ｌｏｗ変速比に到達させることができない。よって、再発進時の駆動力に不足が生じ、充分な発進性を確保することができない。エンジン回転数ＮＥ２およびタービン回転数ＮＴ２は、ロックアップクラッチ２３の解放後（時刻ｔ３）、次第に低下していく。
【００５０】
他方で、コーストストップに移行せず、ブレーキペダルが踏み込まれた後もロックアップクラッチ２３を締結させた状態を維持することで、オイルポンプ８を作動させ、変速比Ｒｖａを最Ｌｏｗ変速比に到達させることが可能である。しかし、この場合は、変速比Ｒｖａの増大に応じて車両に過度な減速度Ｇ３が生じ、引込感の発生により運転性に影響するおそれがある。
【００５１】
これに対し、本実施形態では、図５に示すように、ブレーキペダルが踏み込まれ（時刻ｔ２）、コーストストップ条件が成立した後、Ｌｏｗ戻し実行条件が成立していることを条件に、クラッチ滑り制御を実行し、ロックアップクラッチ２３の入力要素と出力要素との間に差回転ΔＮを生じさせる（時刻ｔ３）。図５は、クラッチ滑り制御を実行する場合にロックアップクラッチ２３に作用する油圧をロックアップ油圧Ｐｌｕにより示している。これにより、オイルポンプ８を作動させ、変速に必要な油圧Ｐｐｒｉ、Ｐｓｅｃを確保することが可能となる。クラッチ滑り制御において、車両の目標減速度を達成し得る程度の差回転ΔＮが得られるように、ロックアップ油圧Ｐｌｕを制御することで、Ｌｏｗ戻しに伴って生じる減速度Ｇを抑制し、運転性に及ぼす影響を緩和することができる。クラッチ滑り制御は、バリエータ４の変速比Ｒｖａが最Ｌｏｗ変速比に到達するまで継続させ、最Ｌｏｗ変速比に到達した後（時刻ｔ４）、ロックアップ油圧Ｐｌｕをさらに減少させ、ロックアップクラッチ２３を解放させる。これにより、駆動輪７からエンジン１への動力の入力が遮断され、エンジン回転数ＮＥが減少し、エンジン１が停止する。
【００５２】
（作用効果の説明）
本実施形態に係る自動変速機の制御装置は、以上のように構成され、以下、本実施形態により得られる効果について述べる。
【００５３】
第１に、コーストストップ条件の成立後、ロックアップクラッチ２３を完全には解放させず、クラッチ滑り制御によりロックアップクラッチ２３の締結力の形成を維持することで、オイルポンプ８を作動させ、自動変速機ＴＭの作動油圧ないし変速油圧Ｐｐｒｉ、Ｐｓｅｃを形成することが可能となる。これにより、コーストストップに際し、バリエータ４の変速比Ｒｖａを増大させ、再加速または再発進時における車両の駆動力を確保することができる。そして、ロックアップクラッチ２３の入力要素と出力要素との間に差回転ΔＮを生じさせたことで、変速比Ｒｖａの増大に応じた減速感を軽減することができる。よって、本実施形態によれば、コーストストップ条件の成立後、車両に過度な減速度を生じさせることなく、Ｌｏｗ戻しを達成することが可能となる。さらに、Ｌｏｗ戻しのためにフューエルカットリカバーによりエンジン１を再度始動させたり、電動式のオイルポンプを別途設けたりする必要がないので、燃費の低減が可能となるとともに、製造コストの上昇を抑制し、電動式ポンプの設置に要する分の空間を削減することができる（請求項１および６に対応する効果）。
【００５４】
さらに、本実施形態によれば、入出力間の差回転ΔＮをロックアップクラッチ２３で生じさせるようにしたことで、減速感の軽減のために他のクラッチ（例えば、前後進切替機構３）の締結を緩めておく必要がなく、再加速時等にトルクコンバータ２を通じて駆動力を伝達させ、加速性を維持することができる。そして、駆動力の伝達が主にトルクコンバータ２の流体接続を通じてなされることから、ショックを抑えた、滑らかな加速を実現することができる（請求項１および６に対応する効果）。
【００５５】
第２に、Ｌｏｗ戻しに際してバリエータ４の変速比Ｒｖａを最Ｌｏｗ変速比にまで増大させるようにしたことで、再加速または再発進時に最大限の駆動力を確保することができる（請求項２に対応する効果）。
【００５６】
第３に、Ｌｏｗ戻しの実行可否を変速の感度の観点から判定し、Ｌｏｗ戻しが不要な場合に、ロックアップクラッチ２３の入出力間に差回転ΔＮを生じさせることなくコーストストップに移行し、ロックアップクラッチ２３を解放させることで、ロックアップクラッチ２３を摩耗による劣化から保護することができる（請求項３および４に対応する効果）。
【００５７】
第４に、クラッチ滑り制御において、差回転ΔＮの目標値を設定し、実際の差回転が目標値に近付くように、ロックアップクラッチ２３の締結力、具体的には、ロックアップ油圧を低下させるようにしたことで、変速比Ｒｖａの増大に対し、減速度を適度に軽減することが可能となる（請求項５に対応する効果）。
【００５８】
特許請求の範囲に記載したもの以外に以上の説明から導き出すことのできる概念を、以下に掲げる。
【００５９】
第１は、自動変速機の制御装置であり、エンジンの出力により駆動されて自動変速機の作動油圧を生じさせるオイルポンプを備え、車両の減速走行中に所定のコーストストップ条件が成立した場合に、エンジンを停止させるコーストストップを実行する車両に搭載され、コーストストップ条件が成立したか否かを判定するコーストストップ条件判定部と、コーストストップ条件が成立したと判定した場合に、トルクコンバータに備わるロックアップクラッチの締結力の形成を維持しつつ、ロックアップクラッチの入力要素と出力要素との間に差回転を生じさせるクラッチ締結制御部と、自動変速機の変速比を、コーストストップ条件の成立判定時よりも増大させる変速制御部と、変速比の増大後、ロックアップクラッチを解放させるクラッチ解放制御部と、を含んで構成される。
【００６０】
第２は、自動変速機の制御方法であり、エンジンの出力により駆動されて自動変速機の作動油圧を生じさせるオイルポンプを備える車両において、車両の減速走行中に所定のコーストストップ条件が成立した場合に、エンジンを停止させるコーストストップを実行する。コーストストップ条件が成立したか否かを判定し、コーストストップ条件が成立したと判定した場合に、トルクコンバータに備わるロックアップクラッチの締結力の形成を維持しつつ、ロックアップクラッチの入力要素と出力要素との間に差回転を生じさせるクラッチ滑り制御を実行し、クラッチ滑り制御の実行中に、自動変速機の変速比を、コーストストップ条件の成立判定時よりも増大させ、変速比の増大後、ロックアップクラッチを解放させるものである。
【００６１】
以上、本発明の実施形態について説明したが、本発明は、これに限定されるものではなく、特許請求の範囲に記載した事項の範囲内において、様々な変更および修正を成し得ることはいうまでもない。
【符号の説明】
【００６２】
Ｐ…車両駆動系
ＴＭ…自動変速機
１…エンジン
２…トルクコンバータ
２１…ポンプインペラ
２２…タービンランナ
２３…ロックアップクラッチ
３…前後進切替機構
３１…前進クラッチ
３２…後退ブレーキ
４…バリエータ
４１…プライマリプーリ
４２…セカンダリプーリ
４３…金属ベルト
５…ディファレンシャル
６…駆動軸
７…駆動輪
８…オイルポンプ
９…油圧制御回路
１０１…エンジンコントローラ
２０１…変速機コントローラ
【図１】
2018119608.tif 000003
【図２】
2018119608.tif 000004
【図３】
2018119608.tif 000005
【図４】
2018119608.tif 000006
【図５】
2018119608.tif 000007